(57)【要約】【課題】非視差方向にもピントが合ったホログラフィックステレオグラムを作成可能なホログラフィックステレオグラム作成装置を提供する。【解決手段】物体光を変調する空間光変調器と、空間光変調器によって変調された物体光を１次元方向に拡散する１次元拡散板との間に、空間光変調器によって変調された物体光を１次元拡散板の１次元方向には１次元拡散板上に空間光変調器の表示画像を結像し、１次元方向と略直交する方向にはホログラム記録媒体上に前記物体光を集光する物体投影光学系を配置する。１次元拡散板の１次元方向においては、１次元拡散板上に空間光変調器の表示画像を結像することで、この１次元方向を非視差方向とする画像のボケを低減できる。【選択図】  図２
2004333880.tif 000002
【特許請求の範囲】
【請求項１】
レーザ光を出射するレーザ光源と、
前記レーザ光源から出射されたレーザ光を参照光と物体光とに分離する光分離手段と、
前記光分離手段によって分離された参照光をホログラム記録媒体に照射する参照光照射手段と、
画像を表示し、前記光分離手段によって分離された物体光を変調する空間光変調器と、
前記空間光変調器によって変調された物体光を１次元方向に拡散する１次元拡散板と、
前記空間光変調器と前記１次元拡散板の間にあって、前記空間光変調器によって変調された物体光を、前記１次元拡散板の前記１次元方向には前記１次元拡散板上に前記空間光変調器の表示画像を結像し、前記１次元方向と略直交する方向には前記ホログラム記録媒体上に前記物体光を集光する物体投影光学系と、
を具備することを特徴とするホログラフィックステレオグラム作成装置。
【請求項２】
前記物体投影光学系が、前記１次元方向に前記空間光変調器の表示画像を結像する球面レンズ系と、前記１次元方向と略直交する方向に物体光を集光するシリンドリカルレンズ系を含む
ことを特徴とする請求項１記載のホログラフィックステレオグラム作成装置。
【請求項３】
前記球面レンズ系と前記シリンドリカルレンズ系の間隔を調整することで、前記１次元方向と略直交する方向への物体光の集光位置を調節可能である
ことを特徴とする請求項２記載のホログラフィックステレオグラム作成装置。
【請求項４】
前記レーザ光源を遮断するための手段と、
前記ホログラム記録材料を間欠送りするための機構と、
前記空間光変調器画像による表示と間欠送り機構の動作とのタイミングを調整するための制御機構と、
をさらに具備することを特徴とする請求項１記載のホログラフィックステレオグラム作成装置。
【発明の詳細な説明】
【０００１】
【発明の属する技術分野】
本発明は、実写画像やコンピュータ生成画像等を三次元認識することができるホログラフィックステレオグラムの作成装置に関する。
【０００２】
【従来の技術】
ホログラフィックステレオグラムは、被写体を異なる観察点から順次撮影することにより得られた多数の画像を原画として、これらを１枚のホログラム記録媒体に短冊状又はドット状の要素ホログラムとして順次記録することにより作成される。
例えば、水平方向のみに視差情報を持つホログラフィックステレオグラムでは、被写体を水平方向の異なる観察点から順次撮影することにより得られた複数の原画が、短冊状の要素ホログラムとしてホログラム記録媒体に順次記録される。このホログラフィックステレオグラムは、これをある位置から片方の目で見た場合、各要素ホログラムの一部分の画像情報の集合体である二次元画像が見え、目の位置を水平方向に動かせば、各要素ホログラムの別の部分の画像情報の集合体である二次元画像が見える。したがって、このホログラフィックステレオグラムを観察者が両目で見たときには、左右の目の位置が水平方向で若干異なるため、それぞれに写る２次元画像は若干異なるものとなる。これにより、観察者は視差を感じ、３次元画像として認識される。
【０００３】
ところで、上記ホログラフィックステレオグラムを作成する際に、それぞれの要素ホログラムは、干渉性の良いレーザ光源を分岐し、一つは画像表示手段（例えば液晶パネル）により二次元画像変調された投影像（物体光）として、一つは参照光として、感光材料を記録材料とするホログラム記録媒体に集光し、前記感光材料の屈折率変化として干渉縞を記録することにより形成される。
このとき、反射型のホログラムの場合には、縦方向（非視差方向）での視点の移動に対応するために（非視差方向の視野角を確保するために）、ホログラム記録媒体の手前に拡散板（１次元拡散板）を配置することがある（例えば、特許文献１参照）。
【０００４】
【特許文献１】
特開平１０−２０７４７号公報。
【０００５】
【発明が解決しようとする課題】
このように、ホログラム記録媒体の手前に１次元拡散板を配置した場合に、視差方向と非視差方向でピントが相違し、被視差方向でボケが生じることがある。
上記に鑑み、本発明は、非視差方向にもピントが合ったホログラフィックステレオグラムを作成可能なホログラフィックステレオグラム作成装置を提供することを目的とする。
【０００６】
【課題を解決するための手段】
上記の目的を達成するため、本発明に係るホログラフィックステレオグラム作成装置は、レーザ光を出射するレーザ光源と、前記レーザ光源から出射されたレーザ光を参照光と物体光とに分離する光分離手段と、前記光分離手段によって分離された参照光をホログラム記録媒体に照射する参照光照射手段と、画像を表示し、前記光分離手段によって分離された物体光を変調する空間光変調器と、前記空間光変調器によって変調された物体光を１次元方向に拡散する１次元拡散板と、前記空間光変調器と前記１次元拡散板の間にあって、前記空間光変調器によって変調された物体光を、前記１次元拡散板の前記１次元方向には前記１次元拡散板上に前記空間光変調器の表示画像を結像し、前記１次元方向と略直交する方向には前記ホログラム記録媒体上に前記物体光を集光する物体投影光学系と、を具備することを特徴とする。
空間光変調器と１次元拡散板の間に配置された物体投影光学系が、空間光変調器によって変調された物体光を、１次元拡散板の１次元方向には１次元拡散板上に空間光変調器の表示画像を結像し、１次元方向と略直交する方向にはホログラム記録媒体上に前記物体光を集光する。１次元拡散板の１次元方向においては、１次元拡散板上に空間光変調器の表示画像を結像することで、この１次元方向を非視差方向とする画像のボケを低減できる。
【０００７】
（１）ここで、前記物体投影光学系が、前記１次元方向に前記空間光変調器の表示画像を結像する球面レンズ系と、前記１次元方向と略直交する方向に物体光を集光するシリンドリカルレンズ系を含んでもよい。
１次元方向には球面レンズ系で、１次元方向と略直交する方向にはシリンドリカルレンズ系で、ホログラム記録媒体への表示画像の投射を良好に行うことができる。
例えば、前記球面レンズ系と前記シリンドリカルレンズ系の間隔を調整することで、前記１次元方向と略直交する方向への物体光の集光位置を調節することが可能となる。
【０００８】
（２）ホログラフィックステレオグラム作成装置が、前記レーザ光源を遮断するための手段と、前記ホログラム記録材料を間欠送りするための機構と、前記空間光変調器画像による表示と間欠送り機構の動作とのタイミングを調整するための制御機構とをさらに具備してもよい。
ホログラム記録材料を間欠送りして、画像の記録を連続的に行うことができる。
【０００９】
【発明の実施の形態】
以下、本発明を適用した具体的な実施の形態について、図面を参照しながら詳細に説明する。なお、本発明は以下の例に限定されるものではなく、本発明の要旨を逸脱しない範囲で、任意に構成を変更することが可能である。
先ず、ホログラフィックステレオグラムを作成するホログラフィックステレオグラム作成システムの一構成例について説明する。なお、本実施の形態では、短冊状の複数の要素ホログラムを１つの記録媒体上に記録することにより、水平方向の視差情報を持たせたホログラフィックステレオグラムを例に挙げる。ただし、本発明は、水平方向に換えて他の方向、例えば縦方向の視差情報を持たせたホログラフィックステレオグラムに対しても適用可能であることは言うまでもない。
【００１０】
このホログラフィックステレオグラム作成システムは、物体光と参照光との干渉縞が記録されたホログラム記録媒体をそのままホログラフィックステレオグラムとする、いわゆるワンステップホログラフィックステレオグラムを作成するシステムであり、図１に示すように、記録対象の画像データの処理を行うデータ処理部１と、このシステム全体の制御を行う制御用コンピュータ２と、ホログラフィックステレオグラム作成用の光学系を有するホログラフィックステレオグラム露光装置３とから構成されている。
【００１１】
データ処理部１は、多眼式カメラや移動式カメラ等を備えた視差画像列撮影装置１３から供給される視差情報を含む複数の画像データＤ１や、画像データ生成用コンピュータ１４によって生成された視差情報を含む複数の画像データＤ２等に基づいて、視差画像列Ｄ３を生成する。
【００１２】
ここで、視差画像列撮影装置１３から供給される視差情報を含む複数の画像データＤ１は、例えば、多眼式カメラによる同時撮影、又は移動式カメラによる連続撮影等によって、実物体を水平方向の異なる複数の観察点から撮影することにより得られた複数画像分の画像データである。
【００１３】
画像データ生成用コンピュータ１４によって生成された視差情報を含む複数の画像データＤ２は、例えば、水平方向に順次視差を与えて作成された複数のＣＡＤ（Ｃｏｍｐｕｔｅｒ  Ａｉｄｅｄ  Ｄｅｓｉｇｎ）画像やＣＧ（Ｃｏｍｐｕｔｅｒ  Ｇｒａｐｈｉｃｓ）画像等の画像データである。
【００１４】
そして、データ処理部１は、視差画像列Ｄ３に対して画像処理用コンピュータ１１によってホログラフィックステレオグラム用の所定の画像処理を施す。そして、所定の画像処理が施された画像データＤ４を、メモリ又はハードディスク等の記憶装置１２に記録する。
【００１５】
データ処理部１は、ホログラム記録媒体に画像を記録する際に、記憶装置１２に記録された画像データＤ４から、１画像分毎にデータを順番に読み出し、この画像データＤ５を制御用コンピュータ２に送出する。
【００１６】
制御用コンピュータ２は、ホログラフィックステレオグラム露光装置３を駆動し、データ処理部１から供給された画像データＤ５に基づく画像を、ホログラフィックステレオグラム露光装置３内にセットされたホログラム記録媒体３０に、短冊状の要素ホログラムとして順次記録する。
【００１７】
このとき、制御用コンピュータ２は、後述するように、ホログラフィックステレオグラム露光装置３に設けられたシャッタ３２、空間光変調器４２及び記録媒体送り機構等の制御を行う。すなわち、制御用コンピュータ２は、シャッタ３２に制御信号Ｓ１を送出してシャッタ３２の開閉を制御し、また、空間光変調器４２に画像データＤ５を供給して空間光変調器４２に当該画像データＤ５に基づく画像を表示させ、また、記録媒体送り機構に制御信号Ｓ２を送出して記録媒体送り機構によるホログラム記録媒体３０の送り動作を制御する。
【００１８】
上記ホログラフィックステレオグラム露光装置３について、図２、図３を参照して詳細に説明する。図２（Ａ）は、ホログラフィックステレオグラム露光装置３全体の光学系を水平方向（視差方向）Ｈから見た図であり、図２（Ｂ）は、ホログラフィックステレオグラム露光装置３の光学系の物体光用の部分を垂直方向（非視差方向）Ｖから見た図である。また、図３は、ホログラフィックステレオグラム露光装置３の光学系の物体光用の部分を模式的に表した斜視図である。後述するマスク４３、集光レンズ４４、コリメータレンズ４５、シリンドリカルレンズ４６は、シリンドリカルレンズ４６を含むことから全体としてアナモルフィック光学系を構成する。
【００１９】
ホログラフィックステレオグラム露光装置３は、図２（Ａ）に示すように、所定の波長のレーザ光を出射するレーザ光源３１と、レーザ光源３１からのレーザ光Ｌ１の光軸上に配されたシャッタ３２及び１／２波長板（ＨＷＰ：Ｈａｌｆ  Ｗａｖｅ  Ｐｌａｔｅ）３３ａおよび偏光ビームスプリッタ（ＰＢＳ：Ｐｏｌａｒｉｚｅｄ  Ｂｅａｍ  Ｓｐｌｉｔｔｅｒ）３３ｂとを備えている。
【００２０】
本実施の形態では、レーザ光源３１には、波長が５１４．５ｎｍ、出力２００ｍＷのアルゴンレーザを用いた。
シャッタ３２は、制御用コンピュータ２によって制御され、ホログラム記録媒体３０を露光しないときには閉じられ、ホログラム記録媒体３０を露光するときに開放される。
１／２波長板３３ａおよび偏光ビームスプリッタ３３ｂは、シャッタ３２を通過してきたレーザ光Ｌ２を、参照光と物体光とに分離する光分離手段を構成する。偏光ビームスプリッタ３３ｂによって反射された光Ｌ３が参照光となり、偏光ビームスプリッタ３３ｂを透過した光Ｌ４が物体光となる。なお、１／２波長板３３ａおよび偏光ビームスプリッタ３３ｂに換えて、ハーフミラーで光分離手段を構成することもできる。
【００２１】
上記光学系において、偏光ビームスプリッタ３３ｂによって反射され、ホログラム記録媒体３０に入射する参照光の光路長と、偏光ビームスプリッタ３３ｂを透過しホログラム記録媒体３０に入射する物体光の光路長とは、ほぼ同じ長さとする。これにより、参照光と物体光との干渉性が高まり、より鮮明な再生像が得られるホログラフィックステレオグラムを作成することが可能となる。
【００２２】
偏光ビームスプリッタ３３ｂによって反射された光Ｌ３の光軸上には、参照光用の光学系として、シリンドリカルレンズ３４と、参照光を平行光とするためのコリメータレンズ３５と、コリメータレンズ３５からの平行光を反射する全反射ミラー３６とがこの順に配置されている。
【００２３】
そして、偏光ビームスプリッタ３３ｂによって反射された光は、先ず、シリンドリカルレンズ３４によって点光源からの拡散光とされる。即ち、シリンドリカルレンズ３４は参照光のスリットとして機能する。次に、コリメータレンズ３５によって平行光とされる。その後、全反射ミラー３６によって反射され、ホログラム記録媒体３０に入射する。
【００２４】
一方、偏光ビームスプリッタ３３ｂを透過した光Ｌ４の光軸上には、図２（Ａ）及び図２（Ｂ）に示すように、物体光用の光学系として、偏光ビームスプリッタ３３ｂからの透過光を反射する全反射ミラー３８、凸レンズとピンホールを組み合わせたスペーシャルフィルタ３９、物体光を平行光とするためのコリメータレンズ４０、コリメータレンズ４０を透過してきた光を拡散させる拡散板４１、記録対象の画像を表示する空間光変調器４２、短冊状の開口部（スリット）が形成されたマスク４３がこの順に配置されている。
さらに、空間光変調器４２とマスク４３の間には、空間光変調器４２を透過した物体光をマスク４３の開口部４３ａに集光する第１の光学系が、マスク４３とホログラム記録媒体３０の間には、マスク４３を通過した物体光をホログラム記録媒体３０上に集光する第２の光学系が設けられている。本例では、第１の光学系は、集光レンズ４４（焦点距離２００ｍｍ）により構成され、第２の光学系は、マスク４３を通過した光を平行光とするコリメータレンズ４５（焦点距離６００ｍｍ）と、この平行光をホログラム記録媒体３０上に集光するシリンドリカルレンズ４６（焦点距離５４ｍｍ）とから構成される。
【００２５】
反射型のホログラムの場合には、ホログラム記録媒体３０の直前に１次元拡散板４７を配するのが一般的であり、本例でもマスク４３とホログラム記録媒体３０の間に１次元拡散板４７が第２の拡散板として配置されている。
この１次元拡散板４７は、集光された物体光を短冊状の要素ホログラムの長手方向に１次元的に拡散するもので、非視差方向Ｖ（垂直方向（縦方向））での視点の移動に対応するためのものである。
図４（Ａ），（Ｂ）はそれぞれ、拡散板４１、１次元拡散板４７により入射光が拡散される状態を表す模式図である。拡散板４１では入射光が等方的に拡散され、１次元拡散板４７では入射光が非視差方向Ｖにのみ拡散される。
【００２６】
偏光ビームスプリッタ３３ｂを透過した光Ｌ４は、全反射ミラー３８によって反射された後、スペーシャルフィルタ３９によって点光源からの拡散光とされる。次に、コリメータレンズ４０によって平行光とされ、その後、拡散板４１を通過して空間光変調器４２に入射する。ここで、本実施の形態では、スペーシャルフィルタ３９には、２０倍の対物レンズと直径２０μｍのピンホールを用いた。また、コリメータレンズ４０の焦点距離は１００ｍｍとした。
【００２７】
空間光変調器４２は、例えば液晶ディスプレイからなる透過型の表示装置であり、制御用コンピュータ２によって制御され、制御用コンピュータ２から送られた画像データＤ５に基づく画像を表示する。本例では、画素数４８０×１０６８、大きさ１６．８ｍｍ×２９．９ｍｍの白黒液晶パネルを用いた。
空間光変調器４２を透過した光は、空間光変調器４２に表示された画像に応じた透過光となる。
【００２８】
拡散板４１は、空間光変調器４２の近傍に設ければよく、空間光変調器４２の直前であっても、直後であってもよいが、本例では、空間光変調器４２の直前に拡散板４１を配置した。
拡散板４１は、空間光変調器４２への入射光または透過光を若干拡散させることにより、要素ホログラム内に光を分散させ、これにより、作成されるホログラフィックステレオグラムの画質の向上に寄与する。
このとき、拡散板４１は、固定状態としてもよいが、各要素ホログラムを形成する毎にランダムに移動し、その位置を要素ホログラム毎に変えるようにしてもよい。これにより、ホログラムを観察したときに無限遠に定位するノイズを低減することができる。
【００２９】
拡散板４１を配置することで、要素ホログラムの幅内が一様に露光されるため、得られるホログラムの画質が向上するが、前記一様な露光を実現しようとすると、拡散板４１の拡散をある程度強くする必要があり、拡散板４１により拡散された物体光は、ホログラム記録媒体３０上で広がりを持ち、本来の要素ホログラムの幅よりも広い範囲を露光してしまうことになる。そこで、マスク４３によって不要な光を遮蔽し、各要素ホログラムが適正な幅で露光されるようにする。
【００３０】
マスク４３をホログラム記録媒体３０の直前に配置すると、ホログラム記録媒体３０の周辺が複雑化する。本実施の形態では、これを避けるため、第１の光学系と第２の光学系を配置し、マスク４３をホログラム記録媒体３０から離間するような構成とした。
すなわち、空間光変調器４２からの透過光は、第１の光学系である集光レンズ４４により集束される。このとき、拡散板４１の影響により、物体光は１点には集光せず、ある範囲に広がる。この広がった集束光のうち、中心部の所定範囲だけをマスク４３の開口部４３ａを透過させ、この開口部４３ａを透過した光のみを、第２の光学系のコリメータレンズ４５により平行光とし、シリンドリカルレンズ４６により再度集光し、物体光としてホログラム記録媒体３０に入射する。
【００３１】
物体光の形状は短冊状である。また、その集光範囲は、コリメータレンズ４５の焦点距離をｆ２、シリンドリカルレンズ４６の焦点距離をｆ３としたときに、マスク４３の開口部４３ａをｆ３／ｆ２倍に投影した形になる。
【００３２】
上記マスク４３とホログラム記録媒体３０の間には、１次元拡散板４７が第２の拡散板として配置されており、マスク４３を通過した物体光は、短冊状の要素ホログラムの長手方向（非視差方向Ｖ）に１次元的に拡散され、ホログラム記録媒体３０に照射される。これにより、反射型ホログラムの非視差方向Ｖの視野角を広げることができる。
【００３３】
この１次元拡散板４７は、固定状態とすることも可能であるが、ホログラム面上に定位するノイズを解消するために、第１の拡散板４１と同様、各要素ホログラムの露光毎に移動することが好ましい。移動方向は任意であるが、通常は、水平方向のスジを解消するために、短冊状の要素ホログラムの長手方向（非視差方向Ｖ）とされる。
【００３４】
本実施形態では、非視差方向Ｖの視野角を確保するための１次元拡散板４７と、ホログラム記録媒体３０それぞれの位置の相違を考慮することで、非視差方向Ｖのボケの低減を図っている。
参考例として、図５に１次元拡散板４７と、ホログラム記録媒体３０それぞれの位置の相違を無視した光学系を示し、これと図２を対比して説明する。
参考例では、１次元拡散板４７と、ホログラム記録媒体３０の互いの面（１次元拡散面、ホログラム面）の位置の相違を無視し、これらの面が互いに一致している理想的な場合を考えている。この場合には、この共通面に対して非視差方向Ｖでは像を形成し、視差方向Ｈでは焦点を結ぶことで、１次元拡散板４７によって非視差方向Ｖの視野角を広げることができる。
【００３５】
しかしながら、１次元拡散板４７の１次元拡散面と、ホログラム記録媒体３０のホログラム面は完全に一致する訳ではない。この場合、ホログラム面に対して非視差方向Ｖでの像、視差方向の焦点の形成の双方を行うと、１次元拡散板４７の１次元拡散面には鮮明な像が形成されなくなる。その結果、１次元拡散板４７からの拡散光によってホログラム面に形成された像の鮮明度が低下することになる。即ち、ホログラム記録媒体３０に記録された画像が非視差方向Ｖにボケを生じることになる。
【００３６】
本実施形態では、１次元拡散板４７の１次元拡散面に非視差方向Ｖでの画像を形成し、ホログラム記録媒体３０のホログラム面に視差方向Ｈの焦点の形成を行うことで、非視差方向Ｖ、視差方向Ｈの双方について鮮明な画像がホログラム記録媒体３０に記録されるようにしている。
非視差方向Ｖでの画像の形成がホログラム記録媒体３０のホログラム面上の位置でなされるように光学系が調節されている場合には、１次元拡散板４７の１次元拡散面上では画像にボケが生じることになる。ホログラム記録媒体３０上には、１次元拡散板４７上に形成された画像が投射されることで画像が形成されるので、画像にボケを生じることになる。
【００３７】
１次元拡散面に非視差方向Ｖでの画像を形成するために、空間光変調器４２と１次元拡散板４７は光学的に共役な位置になるように、集光レンズ４４，コリメータレンズ４５はその焦点距離ｆ１，ｆ２を考慮して配置される。なお、正確には空間光変調器４２から１次元拡散板４７に至る光束はシリンドリカルレンズ４６内を通過するためシリンドリカルレンズ４６の屈折率を考慮することが必要となる。
【００３８】
ホログラム記録媒体３０のホログラム面に視差方向Ｈでの焦点を形成するために、シリンドリカルレンズ４６はその焦点距離ｆ３を考慮して配置される。このとき、マスク４３とホログラム記録媒体３０が光学的に共役な位置であり、マスク４３には空間光変調器４２の画像がフーリエ変換されて集光される。
【００３９】
以上から判るように、１次元拡散板４７の１次元拡散面に非視差方向Ｖでの画像が形成されるように集光レンズ４４，コリメータレンズ４５の位置を調節し、その後にホログラム記録媒体３０のホログラム面に視差方向Ｈの焦点が形成されるようにシリンドリカルレンズ４６の位置を調節することで、非視差方向Ｖ、視差方向Ｈの双方でホログラム記録媒体３０への画像の記録を鮮明に行うことができる。
【００４０】
このホログラフィックステレオグラム露光装置３は、制御用コンピュータ２の制御のもとに、ホログラム記録媒体３０を１要素ホログラム分だけ間欠送りし得る記録媒体送り機構５０を備えている。この記録媒体送り機構５０は、制御用コンピュータ２からの制御信号に基づいて、フィルム状のホログラム記録媒体を間欠送りし得るようになっている。そして、このホログラフィックステレオグラム露光装置３でホログラフィックステレオグラムを作成する際は、記録媒体送り機構５０に所定の状態でセットされたホログラム記録媒体３０に対して、視差画像列の各画像データに基づく画像を短冊状の要素ホログラムとして順次記録する。
【００４１】
以上のような構成を有するホログラフィックステレオグラム作成システムでホログラフィックステレオグラムを作成する際の動作について説明する。
【００４２】
ホログラフィックステレオグラムを作成する際、制御用コンピュータ２は、データ処理部１から供給された画像データＤ５に基づいて空間光変調器４２を駆動して、空間光変調器４２に画像を表示させる。その後、制御用コンピュータ２は、シャッタ３２に制御信号Ｓ１を送出して所定時間だけシャッタ３２を開放させ、ホログラム記録媒体３０を露光する。このとき、レーザ光源３１から出射されシャッタ３２を透過したレーザ光Ｌ２のうち、偏光ビームスプリッタ３３ｂによって反射された光Ｌ３が、参照光として、ホログラム記録媒体３０に入射する。同時に、偏光ビームスプリッタ３３ｂを透過した光Ｌ４が、空間光変調器４２に表示された画像が投影された投影光となり、当該投影光が物体光としてホログラム記録媒体３０に入射する。これにより、空間光変調器４２に表示された１画像が、ホログラム記録媒体３０に短冊状の要素ホログラムとして記録される。
【００４３】
そして、ホログラム記録媒体３０への１画像の記録が終了すると、次いで、制御用コンピュータ２は、記録媒体送り機構５０に制御信号Ｓ２を送出して、ホログラム記録媒体３０を１要素ホログラム分だけ送らせる。
【００４４】
次いで、制御用コンピュータ２は、データ処理部１から供給される次の画像データＤ５に基づいて空間光変調器４２を駆動して、次の画像を空間光変調器４２に表示させる。この後、上述と同様の動作を順次繰り返すことにより、データ処理部１から供給される各画像データＤ５に基づく各画像が、ホログラム記録媒体３０に短冊状の要素ホログラムとして順次記録される。
【００４５】
すなわち、このホログラフィックステレオグラム作成システムでは、記憶装置１２に記録された画像デー夕に基づく画像が空間光変調器４２に順次表示されるとともに、各画像毎にシャッタ３２が開放され、各画像がそれぞれ短冊状の要素ホログラムとしてホログラム記録媒体３０に順次記録される。このとき、ホログラム記録媒体３０は、１画像毎に１要素ホログラム分だけ送られるので、各要素ホログラムは、水平方向（横方向）に連続して並ぶこととなる。これにより、水平方向の視差情報を含む複数の画像が、横方向に連続した複数の要素ホログラムとしてホログラム記録媒体３０に記録され、水平方向の視差を有するホログラフィックステレオグラムが得られる。
【００４６】
この後、以上のように要素ホログラムが記録されたホログラム記録媒体３０に、紫外線ＵＶの照射、および加熱が行われ、記録画像の定着がなされる。
そして、画像が記録された部分が全て外部に送り出されると、制御用コンピュータ２は、制御信号Ｓ２を供給して、ホログラム記録媒体３０のうち、画像が記録された部分を切り離し、１枚のホログラフィックステレオグラムとして外部に排出される。
以上の工程により、水平方向Ｈの視差を有するホログラフィックステレオグラムが完成する。
【００４７】
以上、本発明を適用した具体的な実施形態について説明してきたが、本発明がこれに限定されるものではなく、種々の変形が可能である。
例えば、上記の説明では、水平方向視差のホログラフィックステレオグラムについて説明してきたが、他の方向、例えば縦方向の視差を持つホログラフィックステレオグラムについても本発明を適用することができる。
また、上記の説明では、反射型ホログラムを例に説明したが、透過型ホログラムやエッジリット型ホログラムに対しても、同様に本発明を適用することができる。
【００４８】
【発明の効果】
以上説明したように、本発明によれば非視差方向にもピントが合ったホログラフィックステレオグラムを作成可能なホログラフィックステレオグラム作成装置を提供できる。
【図面の簡単な説明】
【図１】本発明に係るホログラフィックステレオグラム作成システムの構成を表す模式図である。
【図２】本発明に係るホログラフィックステレオグラム露光装置の光学系を水平方向、垂直方向から見た状態を表す模式図である。
【図３】本発明に係るホログラフィックステレオグラム露光装置の光学系の物体光用の部分を模式的に表した斜視図である。
【図４】拡散板、１次元拡散板により入射光が拡散される状態を表す模式図である。
【図５】１次元拡散板と、ホログラム記録媒体それぞれの位置の相違を無視した光学系を有する参考例を表す模式図である。
【符号の説明】
１      データ処理部
２      制御用コンピュータ
３      ホログラフィックステレオグラム露光装置
１１      画像処理用コンピュータ
１２      記憶装置
１３      視差画像列撮影装置
１４      画像データ生成用コンピュータ
３０      ホログラム記録媒体
３１      レーザ光源
３２      シャッタ
３３ａ      １／２波長板
３３ｂ      偏光ビームスプリッタ
３４      シリンドリカルレンズ
３５      コリメータレンズ
３６、３８      全反射ミラー
３９      スペーシャルフィルタ
４０      コリメータレンズ
４１      拡散板
４２      空間光変調器
４３      マスク
４３ａ      開口部
４４      集光レンズ
４５      コリメータレンズ
４６      シリンドリカルレンズ
４７      １次元拡散板
５０      記録媒体送り機構
【図１】
2004333880.tif 000003
【図２】
2004333880.tif 000004
【図３】
2004333880.tif 000005
【図４】
2004333880.tif 000006
【図５】
2004333880.tif 000007